(57)【特許請求の範囲】
【請求項１】
複数のアンテナを有する１次局と、複数のアンテナを有する少なくとも１つの２次局とを含むパケット・データ送信システムを運用する方法であって、１次局のアンテナと２次局のアンテナのペアの間の信号パス上にパケット・データを送信する１次局と、その無線通信環境をモニタして、その無線通信環境に関する情報を前記１次局へ送信する２次局と、この情報に応答して当該１次局を適合させる１次局と、受信されたデータおよび干渉を処理するためにその受信機リソースを構成する２次局とを含み、
前記２次局により無線通信環境をモニタすることは、干渉源と当該２次局のアンテナの間のチャネル伝達関数の特性を決定することを含み、前記２次局により処理することは、前記特性から得られた情報を用いる干渉解消を含む方法。
【請求項２】
前記２次局が、前記１次局が当該１次局をどのように適合させるべきかを前記１次局に推奨することを特徴とする、請求項１に記載の方法。
【請求項３】
前記２次局が、前記１次局がパケット・データの送信用にアンテナの特定のサブセットを使用するように推奨することを特徴とする、請求項２に記載の方法。
【請求項４】
前記２次局が、前記１次局によって使用される受信可能な送信アンテナの所望の最大数を推奨することを特徴とする、請求項２または３に記載の方法。
【請求項５】
前記２次局が、前記１次局によって使用される送信フォーマットを推奨することを特徴とする、請求項２から４のいずれか一項に記載の方法。
【請求項６】
前記１次局が、前記２次局によって推奨されるように当該１次局を適合させることを特徴とする、請求項２から５のいずれか一項に記載の方法。
【請求項７】
前記２次局が、パケット・データの受信用に使用するリソース、および干渉の抑止用に使用するリソースを決定することを特徴とする、請求項１から６のいずれか一項に記載の方法。
【請求項８】
前記２次局が、前記１次局のアンテナと前記２次局のアンテナの間の前記パスの伝達関数をモニタすることを特徴とする、請求項１から７のいずれか一項に記載の方法。
【請求項９】
決定された前記干渉源と当該２次局のアンテナの間のチャネル伝達関数の特性は、マイナスの符号を持つ当該伝達関数の比率からなることを特徴とする、請求項１から８のいずれか一項に記載の方法。
【請求項１０】
複数のアンテナと、信号送受信手段と、２次局からの受信信号に応答して当該１次局を適合させるための手段とを有する１次局、ならびに信号送受信手段と、複数のアンテナと、その無線通信環境をモニタして、その無線通信環境に関する情報を含む信号を送信するための手段と、前記適合された１次局から受信されたデータ信号および干渉を処理するためにその受信機リソースを構成するための手段とを有する少なくとも１つの２次局を含み、前記モニタする手段は、干渉源と当該２次局のアンテナの間のチャネル伝達関数の特性を決定し、前記２次局により受信されたデータ信号の処理は、前記特性から得られた情報を用いる干渉解消を含むパケット・データ送信システム。
【請求項１１】
前記モニタする手段が、前記１次局と２次局の間の無線パスの伝達関数を決定するための手段を含むことを特徴とする、請求項１０に記載のシステム。
【請求項１２】
決定された前記干渉源と当該２次局のアンテナの間のチャネル伝達関数の特性は、マイナスの符号を持つ当該伝達関数の比率からなることを特徴とする、請求項１０または１１に記載のシステム。
【請求項１３】
複数のアンテナと、信号送受信手段とを有する１次局、ならびに信号送受信手段と、複数のアンテナと、その無線通信環境をモニタして、その無線通信環境に関する情報を含む信号を送信するための手段と、受信されたデータ信号および干渉を処理するためにその受信機リソースを構成するための手段とを有する２次局を含むパケット・データ送信システムにおいて使用するための２次局であって、前記モニタする手段は、干渉源と当該２次局のアンテナの間のチャネル伝達関数の特性を決定し、前記２次局により受信されたデータ信号の処理は、前記特性から得られた情報を用いる干渉解消を含む２次局。
【請求項１４】
決定された前記干渉源と当該２次局のアンテナの間のチャネル伝達関数の特性は、マイナスの符号を持つ当該伝達関数の比率からなることを特徴とする、請求項１３に記載の２次局。
【請求項１５】
複数のアンテナと、信号送受信手段と、干渉源と当該２次局のアンテナの間のチャネル伝達関数の特性を含む２次局からの受信信号に応答して前記２次局へ送信された信号の送信モードを適合させるための手段とを含む、パケット・データ送信システムにおいて使用するための１次局。
【発明の詳細な説明】
【技術分野】
【０００１】
本発明はパケット・データ送信システムに関し、さらにそのようなシステムにおいて使用するための１次局および２次局、ならびにそのようなシステムを運用する方法に関する。本発明は、限定はしないが特に、別名３ＧＰＰと呼ばれるＵＭＴＳ（Universal Mobile Telecommunication System）に適用される。
【背景技術】
【０００２】
ＵＭＴＳにおけるパケット無線に関して、High Speed Downlink Packet Access（HSDPA）用にＭＩＭＯ（Multiple Input Multiple Outputアンテナ・システム）を使用することが提案されている。ＭＩＭＯシステムの一例が米国特許第６０６７２９０号に記載されており、そこでは多数のアンテナの存在によって空間多重化が可能となり、それによって通信用のデータ・ストリームが複数のサブストリームに分割され、そのそれぞれが多くの異なるパスを介して送信される。別の例はＢＬＡＳＴシステムとして知られており、「1998 URSI International Symposium on Signals, Systems and Electronics（イタリア、ピサ、１９９８年９月２９日から１０月２日）」の刊行文書に掲載されたＰ  Ｗ  Ｗｏｌｎｉａｎｓｋｙ他による論文「VBLAST: an architecture for realising very high data rates over the richscattering wireless channel」に記載されている。
【０００３】
ＭＩＭＯシステムから達成できるパフォーマンス上の利得は、所与のエラー率で全データ速度を増加させるために、または所与のデータ速度でエラー率を減少させるために、あるいはその両方の何らかの組合せの目的で使用することができる。ＭＩＭＯシステムを制御して、所与のデータ速度およびエラー率で全送信エネルギーまたはパワーを減少させることもできる。
【０００４】
ＭＩＭＯ技術を応用できる１つの領域はHigh―Speed Downlink Packet Access（ＨＳＤＰＡ）スキームであり、これは現在ＵＭＴＳ用に開発されており、２次局、たとえば移動局へパケット・データを４Ｍｂｐｓ超で送信することを容易にすることができる。提案されているＨＳＤＰＡの一実施形態では、同一のチャネル化コードを使用する別々のデータ・ストリームが１次局（たとえば基地局）の各アンテナから送信され、このデータ・ストリームは原則として、少なくともデータ・ストリームと同数のアンテナを有する２次局によって受信および復号することができる。正確なデータ通信は、（多数の再送信による）劣悪なチャネル状況の下でシステムのスループットが減少することよりも重要とみなされるため、各データ・パケットの正しい送達を確実にするのにＡＲＱ（自動再送要求）スキームが必要となる。
【０００５】
パケット・データ送信用にＭＩＭＯシステムを使用することに伴う１つの問題は、通信システム上の無線リンクの品質が異なることによる影響である。このスキームのパフォーマンスは干渉レベルが低い場合はよいが、干渉レベルが高い場合は悪くなる。こうした高い干渉レベルはセルの境界付近で生じ、そこでは隣接セルにおける１次局からの干渉によってスループットが大幅に低下する。
【発明の開示】
【発明が解決しようとする課題】
【０００６】
本発明の目的は、パケット・データ送信におけるそのような干渉の影響を軽減することである。
【課題を解決するための手段】
【０００７】
本発明の第１の態様によれば、複数のアンテナを有する１次局と、複数のアンテナを有する少なくとも１つの２次局とを含むパケット・データ送信システムを運用する方法が提供され、この方法は、１次局のアンテナと２次局のアンテナのペアの間の信号パス上にパケット・データを送信する１次局と、その無線通信環境をモニタして、その無線通信環境に関する情報を１次局へ送信する２次局と、この情報に応答してそれ自体を適合させる１次局と、受信されたデータおよび干渉を処理するためにその受信機リソースを構成する２次局とを含む。
【０００８】
本発明の第２の態様によれば、複数のアンテナと、信号送受信手段と、２次局からの受信信号に応答してそれ自体を適合させるための手段とを有する１次局、ならびに信号送受信手段と、複数のアンテナと、その無線通信環境をモニタして、その無線通信環境に関する情報を含む信号を送信するための手段と、適合された１次局から受信されたデータ信号および干渉を処理するためにその受信機リソースを構成するための手段とを有する少なくとも１つの２次局を含むパケット・データ送信システムが提供される。
【０００９】
本発明は、ＭＩＭＯ送信を受信するように設計された２次局内の受信機リソースの一部が干渉解消用に使用できるという事実の認識に基づく。しかしこれらのリソースの割当ては２次局における干渉の状況に依存し、この状況は、たとえばそのセル内の２次局の現在位置、および隣接セルにおいて干渉している１次局の近接度によって異なる。したがって２次局は状況をモニタし、１次局からパケット・データを受信するのにどのリソース（たとえば、そのアンテナの数や選択など）を使用するのを好むかについて決定を下し、アップリンク信号を介して１次局に通知する。このように割り当てられなかった受信機リソースの一部またはすべては、隣接セルにおける１次局からの信号の干渉解消に使用することができる。しかしリソースの割当てに関する決定は動的であり、状況の変化によって変更される可能性がある。
【００１０】
本発明の第３の態様によれば、複数のアンテナと、信号送受信手段とを有する１次局、ならびに信号送受信手段と、複数のアンテナ、およびその無線通信環境をモニタして、その無線通信環境に関する情報を含む信号を送信するための手段と、受信されたデータ信号および干渉を処理するためにその受信機リソースを構成するための手段とを有する２次局を含むパケット・データ送信システムにおいて使用するための２次局が提供される。
【００１１】
本発明の第４の態様によれば、複数のアンテナと、信号送受信手段と、２次局からの受信信号に応答して２次局へ送信された信号の送信モードを適合させるための手段とを含む、パケット・データ送信システムにおいて使用するための１次局が提供される。
【００１２】
本発明について、添付の図面を参照しながら例示として説明する。
【００１３】
図面において同一の参照番号は、対応する特徴を示すために使用されている。
【発明を実施するための最良の形態】
【００１４】
図１を参照すると、図示されているセルラ通信システムは１次局ＰＳ１、ＰＳ２、ＰＳ３を含み、そのそれぞれはＨＳＤＰＡなどの送信システムによるダウンリンク・チャネル上のデータ・パケットのＭＩＭＯ送信に使用される複数のアンテナと、アップリンク信号を受信するための受信機とから構成される。１次局については、図２を参照しながらより詳細に後述する。セルと呼ばれる、１次局の無線サービス・エリアＣ１、Ｃ２、Ｃ３の一部は、信号の伝搬に影響する地形的特徴によって決定される。表示の都合で、セルは大きさの等しい正六角形として示されている。
【００１５】
２次局ＳＳ１およびＳＳ２は、セルＣ１、Ｃ２、Ｃ３によって決定された全サービス・エリア内でローミングすることができる。各２次局ＳＳ１、ＳＳ２は、ＭＩＭＯ受信用に使用できる複数のアンテナと、アップリンク信号を送信するための送信機とを含む。
【００１６】
このセルラ通信システムの運用はＵＭＴＳなどの標準に従って行われ、その詳細を参照により本明細書に組み込まれる。したがってハンドオーバーなどの側面は、本発明の理解とは関連がないため、本明細書では論じない。
【００１７】
２次局ＳＳ１を例にとると、２次局ＳＳ１がセルＣ１内でローミングする際、１次局ＰＳ１によって送信されるＭＩＭＯ信号の受信品質は、１次局ＰＳ１からの距離だけでなく、隣接セルＣ２内の１次局ＰＳ２からの距離によっても変化する。２次局ＳＳ１がセルＣ１、Ｃ２間の概念的境界に近づくと、１次局ＰＳ２によって送信される干渉信号１０のレベルは増大し、１次局ＰＳ１から受信される所望の信号１２の受信品質に悪影響を与える。信号１０のフォーマットが知られているため、２次局ＳＳ１によって干渉信号１０の効果的な干渉解消を実施することができる。
【００１８】
図２を参照すると、ＭＩＭＯシステムの例が示されており、このＭＩＭＯシステムは、単一のデータ・ソース１４を有する１次局ＰＳ１を含み、この単一のデータ・ソース１４は、４つの出力を有するマルチプレクサ１６と結合され、この４つの出力は各送信機Ｔｘ１、Ｔｘ２、Ｔｘ３、Ｔｘ４と結合され、この各送信機は、各自のアンテナＰＡ１、ＰＡ２、ＰＡ３、ＰＡ４を有する。動作中は、Ｔｘ１からＴｘ４の各送信機によって、同一のチャネル化コードを使用する別々のパケット・データ・ストリームをダウンリンク上で送信することができる。図示されていないが、１次局は、アップリンク信号を受信するための受信機と、１次局ＰＳ１の動作を制御するためのプロセッサとを有する。
【００１９】
１次局ＰＳ１と同じセル内に存在するレンジ内の２次局ＳＳ１は、別々のパケット・データ・ストリームを受信し、それらを復号し、複合されたデータを結合する。たとえば、２次局ＳＳ１は送信機Ｔｘ１からＴｘ４と同数の無線受信機Ｒｘ１、Ｒｘ２、Ｒｘ３、Ｒｘ４を含む。Ｒｘ１からＲｘ４の各受信機は、各自のアンテナＳＡ１からＳＡ４を有する。受信された信号は処理ステージ１８に渡され、処理ステージ１８は、送信されたパケット・データ・ストリームを復元し、データを再結合する。また処理ステージ１８によって、ダウンリンク・チャネルの品質のモニタリング、アンテナＳＡ１からＳＡ４および関連する受信機Ｒｘ１からＲｘ４の動作モードの選択、ならびに送信機を介したアップリンク信号の送信など、図示されていない他の機能も実行される。
【００２０】
最も単純なケースでは、各データ・ストリームはアンテナＰＡ１からＰＡ４のそれぞれにマップされ、これは空間的な相関関係のない無線チャネルに適している。しかしこのマッピングは、アンテナＰＡ１からＰＡ４の１つとアンテナＳＡ１からＳＡ４の１つからなるアンテナの各ペア間におけるダウンリンク・パスの品質を考慮に入れる場合がある。
【００２１】
図３を参照すると、４×４のＭＩＭＯ構成が示されており、所望のダウンリンク信号ＷＳ１からＷＳ４が、隣接セル内に配置された１次局ＰＳ２の送信機Ｔｘ２１およびＴｘ２２によって生成された２つの干渉者（すなわち干渉信号）ＩＳ１、ＩＳ２の結合された電力の影響下にある。完全を期すために、１次局ＰＳ２はデータ・ソース２４を含み、データ・ソース２４はマルチプレクサ２６に結合され、マルチプレクサ２６は、各データ・ストリームを送信機Ｔｘ２１、Ｔｘ２２に供給し、送信機Ｔｘ２１、Ｔｘ２２はそれぞれアンテナＰＡ２１、ＰＡ２２を有する。
【００２２】
２つの干渉者ＩＳ１、ＩＳ２の結合されたパワーは、２次局ＳＳ１で受信された所望の結合信号を劣化させる。これらの干渉者の影響を軽減するために、好ましくは除去するために、受信機リソースのいくつかが干渉解消に割り当てられる。これが図４に示されている。
【００２３】
一般に、たとえばアンテナ出力の線形結合によって解消できる干渉源の数は、受信機アンテナの数から、受信される所望の信号の数を引いたものと等しい。図４において、２次局ＳＳ１は、所望のダウンリンク信号ＷＳ１およびＷＳ３を１次局ＰＳ１の送信機Ｔｘ１およびＴｘ３から受信するためにその受信機リソースを構成し、干渉者ＩＳ１、ＩＳ２からの干渉も解消している。
【００２４】
受信用に送信される信号および解消の対象となる干渉者を選択する際、２次局ＳＳ１は、２次局ＳＳ１によって決定される１つまたは複数の基準を使用することができる。その例としては、（１）干渉している送信機アンテナと受信機アンテナのペアの間のチャネルにおける干渉レベル、（２）送信機アンテナと受信機アンテナのペアの間のチャネルの伝達関数、（３）選択された送信フォーマット用のチャネル品質、（４）１つまたは複数の何らかのパラメータを最適化する（たとえば干渉を最小化し、期待されるスループットを最大化する）ために仮想アンテナ用のアンテナ係数を選択する２次局、および（５）力学的量である２次局における受信アンテナの数（または有効数）がある。
【００２５】
２次局は、その受信機リソースをどのように割り当てたいかについて同時並行で決定を下すと、関連する情報をアップリンク信号として送信する。この関連情報は多様な形態をとることができる。その例としては、（ａ）受信機アンテナＳＡ１からＳＡ４のそれぞれにおける干渉レベル、（ｂ）基準に関して定義された干渉レベル（この場合、干渉用の基準は１つの受信アンテナである可能性がある）、（ｃ）選択されたアンテナ専用の干渉情報、（ｄ）干渉（たとえば、最低の干渉レベル）に基づくアンテナの選択を伴う上記（ａ）から（ｃ）のいずれか１つ、（ｅ）解消後の干渉（たとえば、１つまたは複数のスペア受信アンテナを使用した解消後の最低の干渉レベル）に基づくアンテナの選択を伴う上記（ａ）から（ｃ）のいずれか１つ、（ｆ）送信アンテナと受信アンテナの各ペアの間の伝達関数（この場合、伝達関数は単一の複素数に限定される可能性がある）、（ｇ）受信アンテナにおいて干渉レベルに関して正規化された伝達関数、（ｈ）基準に関して定義された伝達関数（この場合、伝達関数用の基準は１つのアンテナ・ペアである可能性がある）、（ｉ）選択されたアンテナ・ペア専用の伝達関数情報、（ｊ）伝達関数（たとえば、最低のパス・ロス）に基づくアンテナ・ペアの選択を伴う上記（ｆ）から（ｉ）のいずれか１つ、（ｋ）解消後に、受信アンテナにおいて干渉レベルに関して正規化された伝達関数（ｌ）干渉解消後の伝達関数に基づくアンテナ・ペアの選択を伴う上記（ｆ）から（ｋ）のいずれか１つ、（ｍ）可能な送信フォーマットおよびリソースの割当てのそれぞれに関する各アンテナ・ペア用のチャネル品質、（ｎ）各アンテナ・ペア用のＳＮＲに関して定義されたチャネル品質、（ｏ）達成可能なビット・レート（すなわちコード・レート）に関して定義されたチャネル品質、（ｐ）推奨された送信フォーマットに関して定義されたチャネル品質、（ｑ）選択された送信フォーマット専用のチャネル品質情報、（ｒ）期待されるスループットに基づく送信フォーマットの選択を伴う上記（ｍ）から（ｑ）のいずれか１つ、（ｓ）可能なフォーマットのサブセットからの送信フォーマットの選択を伴う上記（ｍ）から（ｑ）のいずれか１つ、（ｔ）２次局における実物のアンテナからの信号の線形結合から得られる「仮想アンテナ」としての受信アンテナを伴う上記のいずれか、（ｕ）実物のアンテナの数以下の数の仮想アンテナを伴う上記のいずれか、（ｖ）１つまたは複数の何らかのパラメータを最適化する（たとえば干渉を最小化し、期待されるスループットを最大化する）ために仮想アンテナを得るためのアンテナ係数を選択する２次局を伴う上記のいずれか、（ｗ）２次局が１次局に示す受信アンテナの数がチャネル状況に依存する場合の上記のいずれかまたはいずれでもない、（ｘ）受信可能な送信アンテナの所望の最大数、ならびに（ｙ）送信アンテナの特定の選択がある。
【００２６】
１次局はアップリンク信号に応答して、（１）一般的な送信スキーム（たとえば時空間符号化、ダイバーシティ、ＭＩＭＯ技術、アンテナへのデータのマッピング、パワーの割当て）、（２）使用される送信アンテナの数、（３）送信アンテナの割当て、および（４）他のユーザ用の信号への（未使用）アンテナの割当てを適合させることができる。
【００２７】
１次局による所望の応答速度によっては、関連情報の少なくとも一部を物理層において信号化することができ、この物理層では、たとえばプロトコル層を使用するよりも迅速な応答が得られるであろう。
【００２８】
図５は、干渉解消を伴う簡略化したＭＩＭＯシステムを示している。干渉解消スキームの働きを数学的に示すため、それぞれ所望の信号を「ｓ」、干渉信号を「ｉ」、そして２次局アンテナを「Ａ」および「Ｂ」で表す。
【００２９】
チャネル伝達関数は、ｈｉＡ、ｈｉＢ、ｈｓＡ、およびｈｓＢである。
【００３０】
アンテナＡおよびＢで受信された信号が、それぞれ「１」および「ａ」の加重で結合されると、受信機出力は下記となる。
ｓ．ｈｓＡ+ｉ．ｈｉＡ+ｓ．ａ．ｈｓＢ+ｉ．ａ．ｈｉＢ
ノイズがない場合、干渉解消は下記を選択することによって得られる。
ａ＝−ｈｉＡ／ｈｉＢ
この場合、所望の信号は下記となる。
ｓ（ｈｓＡ−（ｈｓＢ．ｈｉＡ／ｈｉＢ））
【００３１】
チャネル係数は、各アンテナからのパイロット・シンボルを測定することによって得ることができる。この手法は、複数の送信機アンテナが作動中でノイズが存在する場合の最適な結合加重の計算に拡張することができる。
【００３２】
この概念をＵＭＴＳなどのシステムにおいてＭＩＭＯとＨＳＤＰＡの組合せに応用する場合、１次局は、所定の２次局への送信用にダウンリンク内で使用される変調、コーディング・スキーム、および他の関連する特性を選択するであろう。この選択は、２次局によって提供されるチャネル情報を考慮に入れるだろう。この選択を行う際、１次局は、１つまたは複数のアンテナの使用について、またＭＩＭＯ（または他のダイバーシティ技術）を使用するかどうかについて決定を下すであろう。
【００３３】
チャネル情報は、１次局から送信されたパイロット・シンボルの受信された（複合）振幅に関して、２次局における干渉レベルと併せて提供することができる。任意選択で、各アンテナにおける異なる干渉を考慮に入れて、干渉レベルによってパイロット振幅を正規化することができる。
【００３４】
１次局は、何本の送信アンテナを使用するかについて決定を下す場合、２次局の干渉解消能力だけでなく、すべてのチャネル係数（干渉者用のチャネル係数を含む）を知る必要があるであろう。これは、相当な信号化負荷を必要とするであろう。
【００３５】
決定のすべてまたは一部を２次局が行えるようにすれば、潜在的な信号化負荷が削減されるであろう。
【００３６】
特定の信号化されたパイロット振幅が、低いパイロット振幅またはゼロのパイロット振幅を示すように割り当てられている場合、この値は、対応するアンテナを送信用に使用すべきでないことを示すために移動局によって使用することもできる。これによって２次局は、１次局が何本の送信アンテナを使用すべきかについて、少なくとも部分的に決定できるであろう。したがって２次局は、（必要な場合に）干渉解消を行えるだけの十分なリソースを有している状態を確保することができる。
【００３７】
別の状況では、（すべての受信機アンテナを使用して）全面的にＭＩＭＯを適用する場合、２次局は、ダウンリンク・データの一部しか確実に回復できないと判断する場合がある。こうした場合に２次局は、結果的に生じた余分な自由度を使用して、干渉を解消できる場合がある。
【００３８】
図６を参照すると、このフローチャートは、それ自体の無線通信環境に関する測定を行う２次局に関連するブロック３０を含み、この測定にはチャネルの各パス間のチャネル特性の測定、および干渉者の特性の測定が含まれる。ブロック３２は、行われた測定に関する情報を１次局へ送信する２次局に関連する。この情報は、使用される送信フォーマットおよび／またはアンテナの数に関する推奨、あるいはアンテナまたはアンテナのサブセットに関する特定の選択を含む場合もある。ブロック３４は、使用される送信フォーマットおよび／またはアンテナに関して決定を下す１次局に関連する。決定を下す一例では、１次局は、必要となる可能性のあるダウンリンク信号の量を削減する利点を有する２次局の推奨に従う。別の例では、１次局は、自分が何を行おうとしているか（これは２次局の推奨の一部である場合もあるし、すべてである場合もある）を２次局に知らせる。最後にブロック３６は、受信された送信および干渉に対して何を行うかを決定し、それに従ってその受信機リソースを構成する２次局に関連する。
【００３９】
ＭＩＭＯシステムの実施によって、２次局は意思決定においていくらかの自律性を有することができる。
【００４０】
本発明はＦＤＤの動作モードを対象としているが、アップリンクおよびダウンリンク・チャネルが同一の周波数で異なるタイム・スロットを使用する場合は、ＴＤＤモードに応用することもできる。ＴＤＤモードでは、チャネルは相反的になり、チャネル情報を信号化する必要性が低下する。
【００４１】
前述の説明において１次局の担う役割は、実際には固定インフラストラクチャのさまざまな部分が担うことができる。そのような固定インフラストラクチャの一例が「ノードＢ」であり、これはＵＭＴＳでは固定インフラストラクチャの一部であり、２次局との直接のインターフェースとなり、無線ネットワーク・コントローラ（ＲＮＣ）ではより高いレベルでのインターフェースとなる。したがって本明細書における「１次局」という用語の使用は、本発明の実施形態に含まれるネットワーク固定インフラストラクチャの部分を含むと理解すべきである。
【００４２】
前述の説明は１次局および２次局用の一定の役割に関するが、本発明のいくつかの実施形態ではこれらの役割を逆にすることもできることを理解されたい。
【００４３】
本明細書および特許請求の範囲において、ある要素の前に置かれた不定冠詞（「ａ」または「ａｎ」）は、そのような要素の複数の存在を除外するものではない。さらに「含む（ｃｏｍｐｒｉｓｉｎｇ）」という用語は、列記された以外の要素またはステップの存在を除外するものではない。
【００４４】
本開示を読むことによって、他の修正が当業者にとって明らかとなるであろう。そのような修正は、パケット・データ送信システムおよびそのコンポーネント部分の設計、製造、および使用において既に知られており、かつ本明細書で既に開示した特徴の代わりに、またはそのような特徴に追加して使用できる他の特徴を含むことができる。
【図面の簡単な説明】
【００４５】
【図１】セルラ通信システムを示す図である。
【図２】干渉を伴わないＭＩＭＯシステムを示すブロック概略図である。
【図３】干渉を伴うＭＩＭＯシステムを示すブロック概略図である。
【図４】２次局による干渉解消を伴うＭＩＭＯシステムを示すブロック概略図である。
【図５】干渉解消を伴う簡略化したＭＩＭＯシステムを示すブロック概略図である。
【図６】本発明による方法の一実施形態を示すフローチャートである。
【図１】
0004689271.tif 000002
【図２】
0004689271.tif 000003
【図３】
0004689271.tif 000004
【図４】
0004689271.tif 000005
【図５】
0004689271.tif 000006
【図６】
0004689271.tif 000007